(57)【要約】      （修正有）【課題】オーディオ・ビデオプレイヤーを保護し、また美観を確保することができる上下機構を提供する。【解決手段】プレーヤー上下機構は本体フレーム１９と本体フレーム内に取り付けるプレーヤー１４を含み、プレーヤーの底部は結合用ホルダ１３に固定され、結合用ホルダに回転バー結合用フレーム１１を結合しており、本体フレーム内には回転バー８を取り付け、回転バー結合用フレームと回転バーとは結合している。本体フレームの底部にはギアーボックスベース１を取り付け、このギアーボックスベース内にはギアーユニットとモータを取り付け、回転バー底側はギアーユニットによってモータと結合されている。【選択図】図１
0003135902.tif 000002
【実用新案登録請求の範囲】
【請求項１】
本体フレーム(19)と本体フレーム(19)内に取り付けるプレーヤー(１４) を含むプレーヤー上下機構であって、該プレーヤー(14)の底部は結合用ホルダ(13) に固定しており、その特徴として、該結合用ホルダ(13)に回転バー結合用フレーム(11) を結合し、当該本体フレーム(19)内に回転バー(8) を取り付け、該回転バー結合用フレーム(11)は回転バー(8)と結合し、当該本体フレーム(19)の底部にギアーボックスベース(1) を取り付け、このギアーボックスベース(1)の内側にギアーユニットとモータ(4) を取り付け、回転バー(8)の底側は該ギアーユニットを通じてモータ(4) と結合するプレーヤー上下機構。
【請求項２】
当該結合用ホルダ(13)と回転バー結合用フレーム(11)との間に、プレーヤー(14)コントロール用の基板(12)をも設けている請求項１に記載のプレーヤー上下機構。
【請求項３】
当該回転バー結合用フレーム(11)にガイド軸(15) を固定し、当該回転バー結合用フレーム(11)とガイド軸(15)とは移動可能に結合している請求項１に記載のプレーヤー上下機構。
【請求項４】
当該ガイド軸(15)のトップにリミットスイッチ(16)を設けている請求項３に記載のプレーヤー上下機構。
【請求項５】
当該ギアーユニットはモータ伝動ギアー(3)、移行ギアー(2)と回転バーの伝動ギアー(7) を含み、当該ギアーは噛み合って結合している請求項１に記載のプレーヤー上下機構。
【請求項６】
当該回転棒(8)のトップに回転バー固定用ホルダ(9)を設け、底部にリミットスイッチ(24)を設けている請求項１に記載のプレーヤー上下機構。
【請求項７】
当該本体フレーム(19)にモータ(4)回転コントロール用のコントロール基板(20) を取り付けている請求項１に記載のプレーヤー上下機構。
【考案の詳細な説明】
【技術分野】
【０００１】
本考案は上下機構に関わり、特にオーディオ・ビデオプレーヤー保護に使う上下機構に関わるものである。
【背景技術】
【０００２】
オーディオ・ビデオプレーヤー等の電子製品の普及に従って、MP3、MP4プレーヤーの使用過程中の損害を回避する為に、市場に布製品または皮製品のある種類の保護カバーがあった。このような保護カバーを採用することで、有効にMP3、MP4プレーヤーの汚れ付け、またはその磨損を防止できるが、強く衝撃された場合に、プレーヤーは、十分には保護されにくい。またこのような保護カバーを採用する場合、ユーザーはプレーヤーをONしたり、OFFしたりすると、繰り返しプレーヤーを保護カバーから取り出さなければならず、非常に不便である。    
【考案の開示】
【考案が解決しようとする課題】
【０００３】
上述の問題を解決する為に、本考案の目的としてオーディオ・ビデオプレーヤー保護に使うこのような上下機構を提供し、当上下機構の採用は最大限にプレーヤーを保護し、また電子製品の全体外観の完全性美観性を保持できる。
【課題を解決するための手段】
【０００４】
本考案は以下からなる；
１）本考案のプレーヤー上下機構は、本体フレームと本体フレーム内に取り付けるプレーヤーを含み、当該プレーヤーの底部は結合用ホルダに固定し、その特徴として、該結合用ホルダに回転バー結合用フレームが結合され、該本体フレーム内に回転バーを取り付けて、該回転バー結合用フレームと回転バーとが結合されており、該本体フレームの底部にギアーボックスベースを取り付け、このギアーボックスベース内にギアーユニットとモータを取り付けており、回転バーの底側は該ギアーユニットによりモータと結合するものである。
２）また、該結合用ホルダと回転バー結合用フレームとの間にも、プレーヤーコントロール用の電気基板を設けている。
３）該回転バー結合用フレームにガイド軸を固定し、該回転バー結合用フレームとガイド軸とが動かして結合している。
４） 該ガイド軸のトップにリミットスイッチを設けている。
５） 該ギアーユニットはモータ伝動ギアー、移行ギアーと回転バーの伝動ギアーを含め、該ギアーが噛み合って結合している。
６） 該回転バートップに回転バー固定用ホルダを設け、底部にリミットスイッチを設けている。
７）該本体フレームにモータ回転コントロール用の電気基板を取り付けている。
【考案の効果】
【０００５】
本考案は本体フレーム内に取り付けるモータを回転することによって、回転バーを回転させるよう伝動し、また回転バーの伝動のもとに回転バー結合用フレームを移動させ、それで回転バー結合用フレームに固定したプレーヤーを上下させることができる。本考案はプレーヤーが損害されないよう最大限に保護、また製品の全体的な完全と美観を保持できる。  
【考案を実施するための最良の形態】
【０００６】
下記に添付図と具体的な実施例を結合して本考案について、より詳細に説明する。
【実施例】
【０００７】
図l〜図2に示す通り、本考案のプレーヤー上下機構は主に本体フレーム19と本体フレーム19内に取り付けるプレーヤー14を含み、該プレーヤー14の底部は結合用ホルダ13に固定し、該結合用ホルダ13に回転バー結合用フレーム11を結合し、該本体フレーム19内に回転バー8を取り付け、該回転バー結合用フレーム11と回転バー8とが結合している。該本体フレーム19の底部にギアーボックスベース1を取り付け、このギアーボックスベース1内にギアーユニットとモータ4を取り付け、回転バー8の底側が該ギアーユニットによってモータ4と結合されている。
本考案において、ギアーボックスベース１とギアーボックス表キャビ6はギアーボックスを構成し、両者はネジ5で固定され、結合れさている。該ギアーボックスはネジ25で本体フレーム19の下側に取り付けられ、このギアーボックス内にモータ4が取り付けられており、モータがギアー3、移行ギアー2及び回転バー伝動ギアー7を駆動する。
該モータ4はリード線で電子コントロール基板20と電気接続され、モータ4の軸側とモータ伝動ギアー3とは固定接続され、モータ伝動ギアー3は移行ギアー2と噛み合って結合されており、移行ギアー2は回転バーの伝動ギアー7と噛み合って結合され、回転バーの伝動ギアー7は回転バー8の下側に固定されている。モータ4が回転すると、モータ4の軸側のモータ伝動ギアー3が回転を開始し、それと噛み合って結合する移行ギアー2を伝動すると移行ギアー2が回転バーの伝動ギアー7を伝動して回転させて、最後に回転バーの伝動ギアー7に回転バー8を伝動させて回転される。
回転バー8の下側はギアーボックス内にある回転バーの伝動ギアー7の内部に固定され、その上側は回転バー固定用ホルダ9とネジ18によって本体フレーム19のトップに固定され、回転バー8は回転バー結合フレーム１１を通して、回転バー結合用フレーム11の両側にそれぞれ回転バー8とガイド軸15を固定され、このガイド軸15の底側はネジ23とリミットスイッチ24によって本体フレーム19の下部に固定され、トップはリミットスイッチ16とネジ17によって本体フレーム19の上部に固定され、ここに回転バー結合フレーム11とガイド軸15との間を動かして結合させ、ガイド軸15は主に回転バー結合用フレーム１１が垂直平面内で上下移動できるよう確保される。
またオーディ・ビデオプレーヤー14の下部は結合用ホルダ13に固定される。
回転バー結合用フレーム11は結合用ホルダ13の底部に取り付け、また回転バー結合用フレーム11と結合用ホルダ13との間にも接続電気基板12一枚を設け、上述の結合用ホルダ13と電気基板12と回転バー結合用フレーム11はネジ10で一体に固定されている。この接続電気基板12はリード線で電子コントロール電気基板20と電気的に接続され、接続電気基板12は主にプレーヤー14への給電に使われ、またプレーヤー14の使用状態のコントロールに使われ、電子コントロール電気基板20はネジ2Iとネジ22で固定され、本体フレーム19のフロントに結合され、電子コントロール電気基板20にモータ4の回転をコントロールする為の押しボタンを設けて、この押しボタンのコントロールによってモータの回転をコントロールできるようにし、それによって回転バー結合用フレーム11の上昇または下落を駆動する目的を実現する。
図3〜図4に示すように、本考案は、該回転バー8と回転バー結合用フレームからなる回転バー結合機構となっており、回転バー8の周りに螺旋タップを回って、回転バー結合用フレーム11は回転バー8と固定・結合する部分にも前述の螺旋タップに対応して噛み合うタップを設け、回転バー8が回転すると、回転バー結合用フレーム11にあるタップと回転バーにある螺旋タップとが互いに作用して、回転バー結合用フレーム１１を回転バー8に沿って垂直に運動させる。この過程に、回転バー結合用フレーム１１が穏やかに上下できることを保証する為に、また回転バー結合用フレーム１１のもう一側に固定するガイド軸15によって作用を行う。
【０００８】
以上は本考案の構成について詳細に記述したものであり、以下は、本考案の回転メカニズムについて、更に説明を行う。
本考案は回転過程中において、先ず本体フレーム19のフロントに取り付ける電子コントロール基板20にある押しボタンによって、モータ4の回転をコントロールする。プレーヤー14を上げたいと、モータ4をコントロールして右回りに回転させ、モータ4が回転するとギアーユニットを回転するよう伝動し、回転バー8はギアーユニットの伝動によって回転を開始し、ギアー結合機構の作用によって回転バー結合用フレーム11を穏やかに上げるように伝動して、プレーヤー14は完全に露出するまで上がり、回転バー結合用フレーム11が上がって、リミットスイッチ16に当ると、上昇が停止し、ガイド軸15のトップのリミットスイッチ16が自動にロックする。
プレーヤー14が自動にこの位置に止まり、ユーザーはプレーヤー14を外してもよい。プレーヤー14を下げたい場合、モータ4をコントロールして左回りに回転して、モータ4が回転するとギアーユニットも回転するように伝動され、回転バー8がギアーユニットの伝動のもとに回転開始し、ギアー結合機構の作用によって回転バー結合フレーム11を穏やかに下げるように伝動されて、回転バー結合用フレーム11がガイド軸15の底側のリミットスイッチ24に当る時に、回転バー結合フレーム11が更には下がらず、自動にこの位置にロックされる。
【０００９】
以上は、本考案のプレーヤー上下機構について、詳細に説明を行い、本文内に、具体的な実施例を示して、本考案のメカニズム及び実施方法について、説明を行った。上記の実施例に関する説明は、単に、本考案の核心の思想を理解するのを助けるために使うものであって、本考案の権利範囲を制限ものではない。当該技術分野の一般的エンジニアは、本考案の思想に基づいて、具体的な実施方法及び実用的範囲において変更を行うことが可能であり、これらも当然に本考案の技術的範囲にはいるものである。
【図面の簡単な説明】
【００１０】
【図１】本考案の構成組立の略図である。
【図２】本考案の外観略図である。
【図３】本考案の回転バーの結合機構略図である。
【図４】図3のA．Aの方向図である。
【符号の説明】
【００１１】
1：ギアーボックスベース
2：移行ギアー
3：モータ伝動ギアー
4：モータ
5：ネジ
6：ギアーボックス表キャビ
7：回転バーの伝動ギアー
8：回転バー
9：回転バー固定用ホルダ
10：ネジ
11：回転バー結合用フレーム
12：接続電気基板
13：プレーヤー結合用ホルダ
14：プレーヤー
15：ガイドピン
16：リミットスイッチ
17：ネジ
18：ネジ
19：本体フレーム
20：電子コントロール基板
2l：ネジ
22：ネジ
23：ネジ
24：リミットスイッチ
25：ネジ
【図１】
0003135902.tif 000003
【図２】
0003135902.tif 000004
【図３】
0003135902.tif 000005
【図４】
0003135902.tif 000006